(57)【特許請求の範囲】
【請求項１】
システム内の電源装置から電源線を通じて給電され、かつ伝送線を介して共同玄関機に接続される住宅情報盤において、
前記電源線の電圧レベルを基準値と比較して正常又は異常を判定する電圧判定部と、
電源投入直後に前記電圧判定部を作動させて前記電源線の電圧レベルが異常と判定されたときには、該異常を表示する異常表示部とを備えており、
前記電源装置は、前記共同玄関機から前記住宅情報盤の呼出通話を制御する制御装置または前記共同玄関機に組み込まれたものであり、かつ複数の住戸に設置された前記住宅情報盤のそれぞれに前記電源線を通じて給電するものであることを特徴とする住宅情報盤。
【請求項２】
請求項１において、
前記異常表示部は、前記電源線の電圧レベルの測定値を表示することを特徴とする住宅情報盤。
【請求項３】
請求項１又は２において、
電源投入直後の自己診断の一部として前記電圧判定部を作動させ、該自己診断の結果に基づいて、異常表示モード又は通常動作モードのいずれか一方に分岐処理する制御部を更に備えることを特徴とする住宅情報盤。
【請求項４】
請求項１−３のいずれか１項において、
前記基準値は、前記電源装置の出力電圧の規定値と、前記電源線による電圧降下の許容値とに基づいて予め選択されていることを特徴とする住宅情報盤。
【請求項５】
請求項１−４のいずれか１項に記載の住宅情報盤を、電源線を介して前記電源装置に接続し、かつ伝送線を介して共同玄関機に接続してなることを特徴とする集合用インターホン装置。
【発明の詳細な説明】
【技術分野】
【０００１】
本発明は、システム内の電源装置から電源線を通じて給電される住宅情報盤の改良に関する。
【背景技術】
【０００２】
従来、集合用インターホン装置には、共通の電源装置から電源線を導出し、その電源線を通じて複数の住宅情報盤に給電する構成とされたものがある。そうした場合、住宅情報盤の各々を商用電源等に接続する必要がなくなるので、インターホン装置の配線、設置が簡単になるというメリットがある。しかしながら電源線が長くなれば、その配線抵抗による電圧降下が顕著になってくる。このような電源線の電圧降下に関連する従来技術の例として、例えば次の特許文献が挙げられる。この文献には、電源及び映像信号を制御機から各居室機に分岐供給する分岐器に、電源の電圧レベルが正常であれば点灯する表示ランプを設けることが記載されている。
【先行技術文献】
【特許文献】
【０００３】
【特許文献１】特開平10-150499号公報
【発明の概要】
【発明が解決しようとする課題】
【０００４】
ところで前記のように電源装置から電源線を通じて給電される構成の住宅情報盤は、想定外の電圧レベルで給電されてもマージン内であればそのまま動作する。そのため電源線の電圧レベルの異常が長時間発見されずに住宅情報盤の故障等に発展するおそれがあった。これに対して特許文献１に記載されているような分岐器を用いれば、電源線の電圧レベルの異常を発見することは可能になる。しかしながら住宅情報盤の配線、設置の施工後になされる試験作業では、住宅情報盤の動作確認が主になるため、戸外に設置されている分岐器をチェックする作業は忘れられてしまうという事態も考えられる。
【０００５】
本発明は、このような問題に着目してなされたものであり、住宅情報盤を配線、設置した際に電源線の電圧レベルのチェックが確実になされるようにした住宅情報盤を提供することを目的としている。
【課題を解決するための手段】
【０００６】
本発明は、システム内の電源装置から電源線を通じて給電され、かつ伝送線を介して共同玄関機に接続される住宅情報盤において、前記電源線の電圧レベルを基準値と比較して正常又は異常を判定する電圧判定部と、電源投入直後に前記電圧判定部を作動させて前記電源線の電圧レベルが異常と判定されたときには、該異常を表示する異常表示部とを備えており、前記電源装置は、前記共同玄関機から前記住宅情報盤の呼出通話を制御する制御装置または前記共同玄関機に組み込まれたものであり、かつ複数の住戸に設置された前記住宅情報盤のそれぞれに前記電源線を通じて給電するものであることを特徴とする。
【０００７】
また本発明は、前記住宅情報盤を用いた集合用インターホン装置であって、前記住宅情報盤を、電源線を介して前記電源装置に接続し、かつ伝送線を介して共同玄関機に接続してなることを特徴とする。
【発明の効果】
【０００８】
本発明によれば、住宅情報盤は、電源投入されたときに、電源線の電圧レベルの異常を検知して表示するので、住宅情報盤の配線、設置の後に試験作業を行う作業者がその異常を見落とすおそれが非常に低くなる。
【図面の簡単な説明】
【０００９】
【図１】本発明の実施形態とされる住宅情報盤の構成、及びこの住宅情報盤を用いて構成された集合用インターホン装置のシステム構成を示すブロック図である。
【図２】電源投入後に住宅情報盤が自動実行する起動手順の一例を示すフローチャートである。
【図３】（ａ）は、表示操作部による異常表示の一例であり、（ｂ）は表示操作部による通常モードの表示態様の一例である。
【発明を実施するための形態】
【００１０】
以下、本発明の一実施形態を、図面を参照しながら説明する。
図１は、実施形態とされる住宅情報盤の構成、及びこの住宅情報盤を用いて構成された集合用インターホン装置のシステム構成を示すブロック図である。
【００１１】
集合用インターホン装置１は、複数の住宅情報盤１０、１０、…を、電源線２０を介して電源装置３０に接続し、かつ伝送線２１を介して共同玄関機４０に接続して構成される。
【００１２】
住宅情報盤１０は、電源線２０に結線される受電部１１、伝送線２１に結線される信号伝送部１２、表示操作部（図３参照）、音声回路（図示なし）等を備える。住宅情報盤１０は、電源線２０、伝送線２１の結線作業を簡単かつ確実に行えるように、速結端子台等を用いるとよい。また住宅情報盤１０は、分岐器（図示なし）を介して電源線２０、伝送線２１に接続されていてもよい。なお電源線２０と伝送線２１は兼用されていてもよい。
【００１３】
また住宅情報盤１０は、本実施形態の特徴として、電源線２０の電圧レベルを基準値と比較して正常又は異常を判定する電圧判定部１３と、電源投入直後に電圧判定部１３を作動させて電源線２０の電圧レベルが異常と判定されたときには、該異常を表示する異常表示部１４とを備える。
【００１４】
制御部１５は、ＣＰＵやメモリ等によって構成されており、制御プログラムに従って住宅情報盤１０の各部を制御する。具体的には、制御部１５は、電源投入されると自動的にリセットされ（パワーオンリセット）、リセット解除後の起動手順として装置の初期化や自己診断を行ってから、通常動作モード、つまり来客対応等の機能を実行できる状態に移行する。
【００１５】
したがってその自己診断の手順に、電圧判定部１３を作動させて電源線２０の電圧レベルをチェックする処理を組み込んでおけば、電源線２０の電圧レベルのチェックが電源投入後に確実に行われることになる。このチェックにより異常が判定された場合は、その異常が異常表示部１４に表示される。起動手順は、そのようにして異常を表示した状態で一旦停止されてもよい。またチェックの結果が正常であれば、異常表示部１４に何も表示されずに起動手順が進行していくようにしてもよい。
【００１６】
このように住宅情報盤１０の配線、設置の施工後、電源投入されたときに、電源線２０の電圧レベルの異常を検知して表示する構成とすれば、住宅情報盤１０の配線、設置の施工後に試験作業を行う作業者がその異常を見落とすおそれが非常に低くなる。
【００１７】
電圧判定部１３の構成に特段の制限はない。例えばＡ／Ｄ変換器あるいはコンパレータ等で電圧判定部１３が構成できる。
【００１８】
異常表示部１４の構成も特段の制限はない。例えば、異常表示部１４は、単に表示ランプとしてもよいし、エラーコード等が表示可能な２桁程度の７セグメント表示器としてもよい。あるいは、通常時に使用される表示操作部を異常表示部１４と兼用させてもよい。また異常表示部１４を設ける場所は特に制限されず、住宅情報盤１０の背面側であってもよい。
【００１９】
電源線２０の電圧レベルと比較される基準値は、電源装置３０の出力電圧の規定値と、電源線２０による電圧降下の許容値とに基づいて予め選択されている。例えば、電源装置３０の出力電圧がＤＣ４８Ｖ±１Ｖと規定されており、かつ電源線２０の電圧降下の許容値が８Ｖと規定されているのであれば、住宅情報盤１０が給電される電圧レベルの正常範囲は３９Ｖ≦Ｖｉｎ≦４９Ｖとされる。
【００２０】
電圧判定部１３は、最小構成では、電源線２０の電圧レベルと基準値とを比較できればよい。このとき異常表示部１４は、電圧レベルの異常の有無のみを通知すればよい。
【００２１】
一方、望ましい構成では、電圧判定部１３は、電源線２０の電圧レベルを計測して、その計測値を出力するものとされる。この場合、制御部１５が、その計測値と基準値とを比較すればよい。このとき異常表示部１４は、電圧レベルの異常の有無のみでなく、電圧レベルの計測値を同時表示してもよい。電源レベルの異常が検知されたときに、その電圧レベルの計測値を表示すれば、異常の原因、例えば施工ミス、電源装置３０の不具合等の分析に役立つ。
【００２２】
電源装置３０は、呼出通話を制御する制御装置として構成されている。そのため電源装置３０は、電源部３１と、伝送制御部３２とを備えている。電源部３１は商用電源（図示なし）から受けた交流電源を整流した直流電源を住宅情報盤１０に供給する。電源装置３０は、もちろん制御装置とは別体としても構わない。電源容量の異なる複数種別の電源装置を予め用意しておけば、集合住宅の規模に応じて電源容量を最適化することが可能になり、省エネに寄与できる。あるいは、共同玄関機４０に電源装置３０を組み込んでもよい。
【００２３】
インターホン装置１の基本動作は従来と同様である。具体的には、共同玄関機４０又は管理室機５０から住戸番号を指定した呼出操作がなされると、制御装置がその操作信号を受けて、対応した住宅情報盤１０を呼び出す。呼び出された住宅情報盤１０は呼出音を鳴動させる。住宅情報盤１０で応答操作がなされると、制御装置がその操作信号を受けて、共同玄関機４０又は管理室機５０と、住宅情報盤１０との間に音声信号伝送路を形成する。これにより両者の間が通話可能な状態になる。
【００２４】
図２は、電源投入後に住宅情報盤が自動実行する起動手順の一例を示すフローチャートである。住宅情報盤は、配線、設置の施工後の試験動作においても、電源投入後にこの起動手順を実行する。
【００２５】
ここにステップ１００は、装置状態の初期化処理である。この処理では主に、制御部自身や信号伝送部等のデジタル回路の初期化が行われる。ステップ１０１、１０２は、自己診断の一部として、電源線の電圧レベルのチェックを行う。具体的には、電源線の電圧レベルを計測し、その計測値と基準値とを比較して異常判定する。この例では、前記と同様に、電源線の電圧レベルの正常範囲は３９Ｖ≦Ｖｉｎ≦４９Ｖとされている。
【００２６】
なお図示は省略しているが、自己診断では、電源線の電圧レベルのチェックのみでなく、各部の故障、伝送線との接続状態、試験伝送等、各種のチェックが行われる。
【００２７】
ステップ１０２の後、電源線の電圧レベルの判定結果等、自己診断の結果に基づいて、異常表示モード又は通常動作モードのいずれか一方に分岐する。
【００２８】
ステップ１０３は、電源線の電圧レベルの異常を表示する処理である。自己診断の結果、１つでも異常があれば、ステップ１０３と同様に、対応した異常表示が行われる。異常表示モードでは、複数の異常を一覧表示にしてもよいし、切換表示してもよい。異常の種別毎にエラーコードを予め割り当てておけば、異常表示として、エラーコードを表示するだけでもよい。あるいはエラーコードと、例えば電圧レベルの測定値等の情報とを組み合わせて表示してもよい。
【００２９】
異常表示モードでは、異常表示した状態で待機状態となり、その状態で更に所定操作を受けると、詳細な異常分析等の処理に分岐するようにしてもよい。
【００３０】
以上のように、この起動手順では、電源直後の自己診断で異常を検知した場合、通常動作モードに入らずに、異常表示モードに分岐して異常表示するので、施工後に試験作業を行う作業者がその異常表示を見落とすおそれがなくなる。
【００３１】
図３（ａ）は、表示操作部による異常表示の一例であり、（ｂ）は表示操作部による通常モードの表示態様の一例である。
【００３２】
これらの図に示すように、住宅情報盤１０の筐体前面には、タッチパネルからなる表示操作部１６と、スピーカ、マイクにそれぞれ対応したスピーカ孔１７、マイク孔１８と、モード切換キー１９とが設けられている。
【００３３】
異常表示モードでの表示態様に特段の制限はない。異常表示モードでは、例えば、図３（ａ）に示すように、検出した異常の総数、異常の一つに対応したエラーコード、エラーコードを切換表示するためのファンクションキー等を表示するとよい。この例では、異常の数は２であり、その１つは、電源線の電圧レベルの異常である。したがって、電圧レベルの異常に対応したエラーコード「Ｅ２」と、その電圧レベルの計測値「３８．８Ｖ」とが表示されている。ここで「次エラー」キーを操作すれば、もう一つの異常に対応したエラーコードが切換表示される。
【００３４】
通常動作モードでの表示態様は、従来のものと同様である。例えば図３（ｂ）に示すように、共同玄関機等から呼び出されると、画面の中央部に来訪者の映像が表示され、画面の下部に、来客対応用のファンクションキーが表示される。
【００３５】
図３（ａ）、（ｂ）に示したように、来客映像等を表示するための表示操作部１６を前記異常表示部１４と兼用させる構成では、異常表示部１４を別途必要としないのでコストが抑えられる。また表示操作部１６は面積が大きいので、エラーコードと共に、電圧レベルの計測値等を表示することも容易になる。
【符号の説明】
【００３６】
１    集合用インターホン装置
１０  住宅情報盤
１３  電圧判定部
１４  異常表示部
２０  電源線
２１  伝送線
３０  電源装置
４０  共同玄関機
【図１】
0006395129.tif 000002
【図２】
0006395129.tif 000003
【図３】
0006395129.tif 000004